(57)【要約】【課題】ペットボトルや注出口付切妻屋根型液体紙容器の注出口部を形成するキャップの廻動開栓操作およびその注出筒内の薄肉成型による開封部を持つ封鎖面部に突設した支持棹と連設するプルリングの牽引開封操作を補助するための開栓補助具であって、板紙等のシート状物を打抜き形成されるシート状開栓補助具を提供する。【解決手段】容器口部に取り付ける注出筒と該注出筒内の薄肉成型による開封部を持つ封鎖面部に突設した支持棹と連設するプルリングを有する注出部本体と、注出筒の外面に螺合されるキャップとからなる注出具を開栓する開栓補助具であって、シート状物を打抜き形成されたブランクの中央板の両側に折線を介してそれぞれ翼板が設けられ、前記中央板の略中央にキャップ嵌挿穴が穿設され、翼板あるいは翼板の延長上に鉤状牽引部を設けてなるシート状開栓補助具。【選択図】        図１
2004359265.tif 000002
【特許請求の範囲】
【請求項１】
容器口部に取り付ける注出筒と該注出筒内の薄肉成型による開封部を持つ封鎖面部に突設した支持棹と連設するプルリングを有する注出部本体と、注出筒の外面に螺合されるキャップとからなる注出具を開栓する開栓補助具であって、シート状物を打抜き形成されたブランクの中央板の両側に折線を介してそれぞれ翼板が設けられ、前記中央板の略中央にキャップ嵌挿穴が穿設され、前記翼板あるいは翼板の延長上に鉤状牽引部を設けてなるシート状開栓補助具。
【請求項２】
前記シート状物が、片面または両面に摩擦係数の高い樹脂加工を施したシート状物であることを特徴とする請求項１記載のシート状開栓補助具。
【請求項３】
前記翼板が、片面または両面の所定箇所に摩擦係数の高い樹脂加工を施すか、または摩擦係数の高い樹脂加工を施したシート状物を貼着した翼板であることを特徴とする請求項１記載のシート状開栓補助具。
【発明の詳細な説明】
【０００１】
【発明の属する技術分野】
本発明は、容器開口部のネジ式蓋の開蓋補助手段と、注出口内側に一体に形成された開封部から延設されるプルリングの牽引補助手段とを併せ持つ、板紙等のシート状物を打抜き形成してなるシート状開栓補助具に関する。
【０００２】
【従来の技術】
従来からビン型容器また近年ではペットボトルや袋型容器口部のネジ式蓋の開口にあたって、その締め付け具合によって非常に開放し難いものとなるため、各種の開口補助具が発明あるいは考案され、市場化されている。このうち特に扁平なシートを用いて、簡易な操作による開口補助具として、ゴム製シートの中央部に切れ目をつけ、該切れ目に容器キャップ部を通過させることにより押し開かれ容器キャップ側面に密着したゴム製シート部分を用いて、容器キャップ部の捻り開口を行うものである（例えば特許文献１参照。）。ジャム瓶など大口径のキャップの場合、押し開かれキャップ側面に密着する切れ目部分も大きいので、開口に加えられる力を十分キャップに伝えられるが、注出口付切妻屋根型液体紙容器など小口径のキャップの場合、密着する切れ目部分が小さくなり効果が少ないばかりでなく、その周囲の余白が開口操作を妨げるという欠点があった。またキャップ開栓のための廻動操作を補助するのみの単一の機能をもつものであって、ゴム製シートという材質の特性からも、注出口内側に一体に設けられた開封部のプルリングの牽引による開封補助手段を併せ持つものでは無かった。
【０００３】
【特許文献１】
実公昭４３−３９９６号公報
【０００４】
また近年普及が著しいペットボトルや注出口付切妻屋根型液体紙容器においては、注出口部の口径が小さいため、キャップ部分を把持し難く、廻動開栓操作を行う際に力の集中を行い難く、またその注出筒内栓のプルリングは指先を挿入すること自体が難しく、牽引開封操作は著しく困難であるため、特に握力の弱い女性や高齢者あるいは手指に障害を持つ人にとって、開栓及び開封操作の行い難いものであった。
【０００５】
【発明が解決しようとする課題】
そこで、本発明は、上記問題を解決するためになしたものであって、その目的とするところは、ペットボトルや注出口付切妻屋根型液体紙容器の注出口部を形成するキャップの廻動開栓操作およびその注出筒内の薄肉成型による開封部を持つ封鎖面部に突設した支持棹と連設するプルリングの牽引開封操作を補助するための開栓補助具であって、シート状物を打抜き形成されたシート状開栓補助具を提供する。
【０００６】
【課題を解決するための手段】
上記課題を解決するため、請求項１の発明は、容器口部に取り付ける注出筒と該注出筒内の薄肉成型による開封部を持つ封鎖面部に突設した支持棹と連設するプルリングを有する注出部本体と、注出筒の外面に螺合されるキャップとからなる注出具を開栓する開栓補助具であって、シート状物を打抜き形成されたブランクの中央板の両側に折線を介してそれぞれ翼板が設けられ、前記中央板の略中央にキャップ嵌挿穴が穿設され、前記翼板あるいは翼板の延長上に鉤状牽引部を設けてなるシート状開栓補助具であって、中央板のキャップ嵌挿穴にキャップを嵌挿し、折線を用いてそれぞれの翼板を立ち起こし、キャップ外周部を包み込むように把持して、キャップの廻動開栓操作を補助するとともに、キャップの開栓後、注出筒内のプルリングに翼板あるいは翼板の延長上に設けられた鉤状牽引部を引っ掛け、キャップ嵌挿穴に手指を挿入するかシート状開栓補助具全体を把持して、プルリングの牽引開封操作を補助するものである。
【０００７】
請求項２の発明は、前記板紙等シート状物が、片面または両面に摩擦係数の高い樹脂加工を施したシート状物であることを特徴とする請求項１記載のシート状開栓補助具であって、あらかじめシート状物の片面または両面に、例えば紙コーティング用ラテックス等をコーティングするか、あるいは柔軟な皮膜を形成する特性を持つ滑り止めインキ等を印刷するなどして防滑性を付与し、前記キャップの廻動開栓操作において、キャップ外周部とシート状開栓補助具の翼板との当接面および／または前記翼板と該翼板を把持する手指表面との当接面の摩擦抵抗を大きくすることにより、より廻動開栓操作を行いやすくするとともに、前記プルリングの牽引開封操作においても、シート状開栓補助具全体の把持がより安定する。
【０００８】
請求項３の発明は、前記翼板が、片面または両面の所定箇所に摩擦係数の高い樹脂加工を施すか、または摩擦係数の高い樹脂加工を施したシート状物を貼着した翼板であることを特徴とする請求項１記載のシート状開栓補助具であって、翼板の所定箇所のみに摩擦係数の高い樹脂加工を施すか、または摩擦係数の高い樹脂加工を施したシート状物を貼着することにより、加工する樹脂量を軽減することができ、かつ打抜き加工の際に発生する廃棄ブランクに施される樹脂加工部分が無いので、加工コストが低減されるとともに加工廃棄物も低減できる。
【０００９】
【発明の実施の形態】
上記本発明について、図面等を用いて以下に詳述する。
図１（ａ）は本発明に係るシート状開栓補助具の一実施例の平面図。（ｂ）は本発明に係るシート状開栓補助具の他の実施例の平面図。図２は本発明の一実施例を用いた注出口付切妻屋根型液体紙容器のキャップ廻動による開栓補助状態を示す説明図。図３は同じく注出筒内側のプルリングの牽引による開栓補助状態を示す説明図。図４は本発明に係るシート状開栓補助具を注出口付切妻屋根型液体紙容器のキャップあるいは胴部に取り付けた販売状態を示す斜視図。
【００１０】
図１（ａ）に示すように、本発明に係るシート状開栓補助具Ｐの一実施例の平面図であるが、両端を折線で区画され他方の両端を外向き彎曲切線で区画された略太鼓型の中央板１と、前記折線を介してそれぞれ連設された翼板２、２と、一方の翼板２の外縁に突設された鉤状牽引部３とからなり、前記中央板１の略中央にはキャップ嵌挿穴４が穿設されている。前記中央板１とそれぞれの翼板２、２で形成される形状は角丸菱形を呈しており、前記鉤状牽引部３は一方の翼板２の外縁側端部から突出して設けられている。図１（ｂ）は本発明に係るシート状開栓補助具の他の実施例Ｐ´の平面図で、前記鉤状牽引部３が一方の翼板２の外縁中央端部から突出して設けられている。
【００１１】
本発明に係るシート状開栓補助具Ｐは、板紙等のシート状物を打抜いて形成されるものであるが、例えば使用される板紙の用紙坪量は凡そ４００ｇ／平米以上が牽引開封操作のための強度から望ましいがこれに限定されるものではなく、前記坪量以下の板紙であっても印刷加工あるいは樹脂加工によっても強度を補うことができる。更に継続使用等のため強度を要求される場合には、厚紙に樹脂含浸加工を施したボード材料や、プラスチックボードを用いることもできる。
【００１２】
前記板紙等のシート状物の片面または両面に摩擦係数の高い樹脂加工を施して本発明に係るシート状開栓補助具Ｐに防滑性を付与するには、例えば紙コーティング用ラテックス等をコーティングするか、あるいは柔軟な皮膜を形成する特性を持つ滑り止めインキを印刷する方法等を選択できる。また、翼板２の片面または両面の所定箇所に摩擦係数の高い樹脂加工を施すか、または摩擦係数の高い樹脂加工を施したシート状物を貼着する場合には、前記柔軟な皮膜を形成する特性を持つ滑り止めインキを所定箇所に印刷するか、あるいはあらかじめ紙コーティング用ラテックス等をコーティングするか柔軟な皮膜を形成する特性を持つ滑り止めインキを印刷したシート状物を所定箇所に貼着することにより得ることができる。
【００１３】
図２は本発明の一実施例を用いた注出口付切妻屋根型液体紙容器のキャップ部廻動による開栓状態を示す説明図で、注出口付切妻屋根型液体紙容器Ｑの切妻屋根部に取り付けられた注出口のキャップＳが、シート状開栓補助具Ｐの中央板１の略中央に穿設されたキャップ嵌挿穴４に嵌挿され、中央板１の両側の折線を用いてそれぞれの翼板２、２が立ち起こされ、該翼板２、２の所定箇所が前記キャップＳの外周部に当接し、手指によって把持されている状態を示しており、通常は時計回りと逆方向に廻動することにより、キャップＳが開栓される。通常この種注出口付切妻屋根型液体紙容器ＱのキャップＳの口径は約２４ｍｍ、高さも約１０ｍｍと小さく、指先がようやく把持できる程度で、廻動開栓操作が困難であるが、本発明に係るシート状開栓補助具Ｐの翼板２、２の高さ方向寸法がそれぞれ約２０ｍｍあることで手指による把持が行い易くなり、廻動操作への指先の力が加えやすくなる。さらに前述したシート状開栓補助具Ｐ全体あるいは翼板２の部分への摩擦係数の高い樹脂加工により、キャップＳと翼板２との当接部分での摩擦抵抗を大きくして、廻動操作時の滑りによる力のロスを防ぐことができる。また同様に翼板２と手指との間での摩擦抵抗を大きくして、廻動操作を行い易くすることができる。
【００１４】
図３は本発明の一実施例を用いた注出口付切妻屋根型液体紙容器の注出筒内側のプルリングの牽引による開栓状態を示す説明図で、注出口付切妻屋根型液体紙容器Ｑの切妻屋根部に取り付けられた注出口のキャップＳの開栓後、注出筒部Ｔ内の薄肉成型による開封部を持つ封鎖面部Ｕに突設した支持棹と連設するプルリングＶのリング端部に、前記注出筒部Ｔに挿入されるシート状開栓補助具Ｐの鉤状牽引部３の先端部を引っ掛け、前記シート状開栓補助具Ｐのキャップ嵌挿穴４に手指を挿入するかシート状開栓補助具Ｐ全体を把持して、矢印方向および液体紙容器外方に牽引すれば、前記注出筒部Ｔ内の薄肉成型による開封部が開封し、内容物の注出を行うことができる。前記鉤状牽引部３の先端部は、牽引開封に必要な強度や剛性を保持しつつ、注出筒部Ｔの内周面とプルリングＶの端部とが形成する空隙に引っ掛けるために予め先細に設計されることが望ましい。なお前述の如くシート状開栓補助具Ｐ全体あるいは翼板２の部分への摩擦係数の高い樹脂加工により、前記牽引開封操作時のシート状開栓補助具Ｐ全体を把持する際にも滑りによる力のロスを防ぐことができ、牽引開封操作が行い易い。
【００１５】
図４は本発明に係るシート状開栓補助具を注出口付切妻屋根型液体紙容器のキャップあるいは胴部に取り付けた販売状態を示す斜視図で、注出口付切妻屋根型液体紙容器Ｑの切妻屋根部に取り付けられた注出口のキャップＳを、図１（ａ）に示した本発明に係るシート状開栓補助具Ｐのキャップ嵌挿穴４に嵌挿させ、シート状開栓補助具Ｐを扁平な状態で切妻屋根部に載置したのち、図示は省略したが全体を熱収縮性フィルムによって被覆し、加熱収縮させて一体として包装した包装体Ｒの状態を示しており、展示および販売に供される。尚、図中、注出口付切妻屋根型液体紙容器Ｑの胴部側面に点線で表したＰ´は図１（ｂ）に示した本発明に係るシート状開栓補助具の他の実施例Ｐ´で、展示および販売時において所定位置にベタ付けされた状態を示している。このように本発明に係るシート状開栓補助具は扁平な状態で流通されるため、製品容器と一体化することが容易で、製品容器の集積包装時においても影響しあうことがなく整列性に優れている。また製品容器と一体化して販売に供することにより、購入者は利便性の認知をし易く、かつ製品容器の使用にあたって開栓ならびに開封を容易に行うことができ、他の開栓補助具を要しない。
【００１６】
【発明の効果】
以上のように本発明に係るシート状開栓補助具は、ペットボトルや注出口付切妻屋根型液体紙容器の注出口部を形成するキャップの廻動開栓操作ならびに、その注出筒内の薄肉成型による開封部を持つ封鎖面部に突設した支持棹と連設するプルリングの牽引開封操作を補助する機能を併せ持つ点で優れているばかりでなく、前記キャップの廻動開栓操作においては、キャップ外周面の小さな口径および高さが、それぞれキャップ外周面に当接する翼板の大きさで、指先による把持をし易くするとともに力を伝え易くして廻動操作が行え、またシート状開栓補助具全体あるいは翼板への摩擦係数の高い樹脂加工により防滑性を付与して、キャップ外周面と翼板当接箇所との摩擦抵抗を大きくし、さらに翼板所定箇所と把持する手指との摩擦抵抗を大きくして、小さな力による廻動操作を可能としている。
【００１７】
翼板あるいは翼板の延長上に突設された鉤状牽引部の先端部は、牽引に必要な強度や剛性を保持しつつ、注出筒部の内周面とプルリングの端部とが形成する空隙に引っ掛けるため、予め先細に設計されているため注出筒部への挿入が容易で、従来指先の挿入さえ困難であった問題点を解消し、またシート状開栓補助具全体あるいは翼板への摩擦係数の高い樹脂加工により防滑性を付与したことで把持が行い易く、牽引開封操作が行い易い。
【００１８】
また本発明に係るシート状開栓補助具は、シート状物を打抜き形成することができるので製造が容易であり、かつ注出口付切妻屋根型液体紙容器の切妻屋根部あるいは胴部に、載置あるいは貼付できるよう扁平でコンパクトに製造されるもので、原材料の点からも省資源を図ることができる。さらに前述の如く製品容器への載置あるいは貼付が行えるので、購買者に利便性を認知させやすく、使用にあたっても開栓ならびに開封を容易に行うことができ、他の開栓補助具を要することが無い。
【図面の簡単な説明】
【図１】（ａ）本発明に係るシート状開栓補助具の一実施例の平面図。
（ｂ）同じく他の実施例の平面図。
【図２】本発明の一実施例を用いた注出口付切妻屋根型液体紙容器のキャップ廻動による開栓補助状態を示す説明図。
【図３】同じく注出筒内側のプルリングの牽引による開栓補助状態を示す説明図。
【図４】同じく一実施例を注出口付切妻屋根型液体紙容器のネジ式蓋部に取り付けて販売に供される状態を示す斜視図。
【符号の説明】
Ｐ、Ｐ´      シート状開栓補助具
Ｑ            注出口付切妻屋根型液体紙容器
Ｒ            注出口付切妻屋根型液体紙容器に合成樹脂製開栓補助具を載置し熱収縮包装を施して固定した包装体
Ｓ            注出口付切妻屋根型液体紙容器の注出口のキャップ
Ｔ            注出口付切妻屋根型液体紙容器の注出筒部
Ｕ            注出口付切妻屋根型液体紙容器の注出筒内の薄肉成型による開封部を持つ封鎖面部
Ｖ            注出口付切妻屋根型液体紙容器の注出筒内の薄肉成型による開封部を持つ封鎖面部に突設した支持棹と連設するプルリング
１            中央板
２            翼板
３            鉤状牽引部
４            キャップ嵌挿穴
【図１】
2004359265.tif 000003
【図２】
2004359265.tif 000004
【図３】
2004359265.tif 000005
【図４】
2004359265.tif 000006